(57)【要約】【課題】シール材で囲まれた領域の全体にわたってニュートンリングの発生を防止することのできる抵抗膜型タッチパネル、および入力機能付き表示装置を提供すること。【解決手段】抵抗膜型タッチパネル２において、シール材３０で囲まれた矩形領域２ｂのうち、中央領域については第２基板２０の中央部分を凸状に湾曲させてニュートンリングの発生を防止する。また、シール材３０で囲まれた矩形領域２ｂの角部分２ｃでは、第１基板１０に、光散乱層１８１からなるアンチ・ニュートンリング層１８を設けてニュートンリングの発生を防止する。従って、シール材３０で囲まれた領域の全体にわたってニュートンリングの発生を防止することができる。【選択図】図３
2010128846.tif 000002
【特許請求の範囲】
【請求項１】
第１抵抗膜が設けられた第１基板と、
前記第１抵抗膜に対向する第２抵抗膜が設けられ、前記第１基板が位置する側とは反対側に向けて中央部分が凸状に湾曲した透光性の第２基板と、
入力領域を囲む外周側で前記第１基板と前記第２基板とを貼り合せるシール材と、
前記第１基板において前記第２基板と対向する面、および前記第２基板において前記第１基板と対向する面の少なくとも一方の面において前記シール材により囲まれた領域内の外周側領域に設けられ、当該外周側領域でのニュートンリングの発生を防止するアンチ・ニュートンリング層と、
を有することを特徴とする抵抗膜型タッチパネル。
【請求項２】
前記シール材は、矩形枠状に設けられ、
前記アンチ・ニュートンリング層は、前記シール材で囲まれた矩形領域内の少なくとも角部分に設けられていることを特徴とする請求項１に記載の抵抗膜型タッチパネル。
【請求項３】
前記アンチ・ニュートンリング層は、前記第１基板において前記第２基板と対向する面に設けられていることを特徴とする請求項１または２に記載の抵抗膜型タッチパネル。
【請求項４】
前記アンチ・ニュートンリング層は、前記第２基板の側に凹凸を向ける光散乱層であることを特徴とする請求項３に記載の抵抗膜型タッチパネル。
【請求項５】
前記アンチ・ニュートンリング層は、光吸収層からなる下層と、前記第２基板の側に凹凸を向ける光散乱層からなる上層と、を備えていることを特徴とする請求項３に記載の抵抗膜型タッチパネル。
【請求項６】
前記第１基板において前記第２基板と対向する面側には、ドット状の樹脂スペーサが複数設けられ、
前記光散乱層は、前記樹脂スペーサと同一の樹脂材料からなることを特徴とする請求項４または５に記載の抵抗膜型タッチパネル。
【請求項７】
前記アンチ・ニュートンリング層は、光吸収層であることを特徴とする請求項３に記載の抵抗膜型タッチパネル。
【請求項８】
前記第１基板、前記第１抵抗膜および前記第２抵抗膜はいずれも透光性を備えていることを特徴とする請求項１乃至７の何れか一項に記載の抵抗膜型タッチパネル。
【請求項９】
請求項１乃至８の何れか一項に記載の抵抗膜型タッチパネルを備えた入力機能付き表示装置であって、
前記第１基板に対して前記第２基板側とは反対側に画像生成装置が重ねて配置されていることを特徴とする入力機能付き表示装置。
【発明の詳細な説明】
【技術分野】
【０００１】
本発明は、指や入力ペンなどが接触した位置を検出可能な抵抗膜型タッチパネル、および該抵抗膜型タッチパネルを備えた入力機能付き表示装置に関するものである。
【背景技術】
【０００２】
携帯電話、カーナビゲーション、パーソナルコンピュータ、券売機、銀行の端末などの電子機器では、近年、液晶装置などの画像生成装置の前面にタッチパネルが配置され、画像生成装置に表示された画像を参照しながら、情報の入力が行えるものがある。このようなタッチパネルのうち、抵抗膜型タッチパネルは、第１抵抗膜が設けられた第１基板と、第１抵抗膜に対向する第２抵抗膜が設けられた第２基板とを備え、第１基板と第２基板とは入力領域を囲むように配置されたシール材により貼り合わされている。
【０００３】
このような抵抗膜型タッチパネルでは、入力時の負荷（動作荷重）を軽減するという観点からすれば、第１基板と第２基板との間隙が狭い方が好ましい。但し、第１基板と第２基板との間隙が狭いと、ニュートンリングが発生するという問題点があり、かかるニュートンリングの発生は、利用者にとって感覚的に不快である。そこで、図８（ａ）に示すように、第２基板２０の中央部分を第１基板１０が位置する側とは反対側に向けて凸状に湾曲させた構成が提案されている（特許文献１参照）。
【特許文献１】特開２００４−２８０７５９号公報
【発明の開示】
【発明が解決しようとする課題】
【０００４】
しかしながら、特許文献１に記載のように、第２基板２０の中央部分を第１基板１０が位置する側とは反対側に向けて凸状に湾曲させた場合でも、シール材３０で囲まれた領域の全体にわたってニュートンリングの発生を防止することはできないという問題点がある。すなわち、第２基板２０の中央部分を第１基板１０が位置する側とは反対側に向けて凸状に湾曲させた場合でも、シール材３０で貼り合わされている外周側領域では第１基板１０と第２基板２０との間隙が狭く、かつ、間隙が連続的に変化しているため、図８（ｂ）に示すように、シール材３０で囲まれた矩形領域の外周側領域、特に角部分２ｃにニュートンリングが発生しやすい。仮にニュートンリングの発生する領域が、タッチパネルと組み合わされる画像生成装置の表示領域外に位置領域であっても、利用者にニュートンリングが視認されることは好ましくない。
【０００５】
以上の問題点に鑑みて、本発明の課題は、シール材で囲まれた領域の全体にわたってニュートンリングの発生を防止することのできる抵抗膜型タッチパネル、および該抵抗膜型タッチパネルを備えた入力機能付き表示装置を提供することにある。
【課題を解決するための手段】
【０００６】
上記課題を解決するために、本発明に係る抵抗膜型タッチパネルは、第１抵抗膜が設けられた第１基板と、前記第１抵抗膜に対向する第２抵抗膜が設けられ、前記第１基板が位置する側とは反対側に向けて中央部分が凸状に湾曲した透光性の第２基板と、入力領域を囲む外周側で前記第１基板と前記第２基板とを貼り合せるシール材と、前記第１基板において前記第２基板と対向する面、および前記第２基板において前記第１基板と対向する面の少なくとも一方の面において前記シール材により囲まれた領域内の外周側領域に設けられ、当該外周側領域でのニュートンリングの発生を防止するアンチ・ニュートンリング層と、を有することを特徴とする。
【０００７】
本発明では、シール材で囲まれた領域のうち、中央領域については第２基板の中央部分を凸状に湾曲させてニュートンリングの発生を防止し、外周側領域についてはアンチ・ニュートンリング層を設けてニュートンリングの発生を防止する。従って、シール材で囲まれた領域の全体にわたってニュートンリングの発生を防止することができる。
【０００８】
本発明において、前記シール材は、矩形枠状に設けられ、前記アンチ・ニュートンリング層は、少なくとも前記シール材で囲まれた矩形領域内の少なくとも角部分に設けられていることが好ましい。シール材を矩形枠状に形成した場合、シール材で囲まれた矩形領域内の角部分にニュートンリングが発生しやすいので、かかる角部分にアンチ・ニュートンリング層を設ければ、シール材で囲まれた領域の全体にわたってニュートンリングの発生を効果的に防止することができる。
【０００９】
本発明において、前記アンチ・ニュートンリング層は、前記第１基板において前記第２基板と対向する面に設けられている構成を採用することができる。
【００１０】
かかる構成の場合、前記アンチ・ニュートンリング層としては、前記第２基板の側に凹凸を向ける光散乱層を採用することができる。かかる構成によれば、第２基板の側から入射した光が第１基板で反射する際に散乱するため、ニュートンリングの発生を防止することができる。
【００１１】
本発明において、前記アンチ・ニュートンリング層は、光吸収層からなる下層と、前記第２基板の側に凹凸を向ける光散乱層からなる上層と、を備えている構成を採用してもよい。第２基板の側から入射した光が第１基板で反射する際に散乱するため、ニュートンリングの発生を防止することができる。また、第２基板の側から入射した光の一部が光散乱層を透過しても光吸収層で吸収される。その際、光吸収層の表面で一部の光が反射しても、かかる反射光は、上層の光散乱層によって散乱光となるため、ニュートンリングの発生を防止することができる。
【００１２】
本発明では、前記第１基板において前記第２基板と対向する面側には、ドット状の樹脂スペーサが複数設けられていることが好ましく、前記光散乱層は、前記樹脂スペーサと同一の樹脂材料からなることが好ましい。このように構成すると、光散乱層を樹脂スペーサと同時形成することができるので、新たな層を追加する必要がない。
【００１３】
本発明において、前記アンチ・ニュートンリング層としては、光吸収層を採用してもよい。かかる構成によれば、第２基板の側から入射した光が第１基板で反射するのを抑制、防止することができるため、ニュートンリングの発生を防止することができる。
【００１４】
本発明において、前記第１基板、前記第１抵抗膜および前記第２抵抗膜はいずれも透光性を備えていることが好ましい。
【００１５】
この場合、本発明を適用した抵抗膜型タッチパネルは、入力機能付き表示装置に用いることができ、この場合、前記第１基板に対して前記第２基板側とは反対側に画像生成装置が重ねて配置される。
【００１６】
本発明を適用した入力機能付き表示装置は、携帯電話、カーナビゲーション、パーソナルコンピュータ、券売機、銀行の端末などの電子機器に用いられる。
【発明を実施するための最良の形態】
【００１７】
図面を参照して、本発明の実施の形態を説明する。なお、以下の説明で参照する図においては、各層や各部材を図面上で認識可能な程度の大きさとするため、各層や各部材毎に縮尺を異ならしめてある。また、タッチパネルの各電極、および液晶装置の画素電極などの数についても簡素化して示してある。
【００１８】
［実施の形態１］
（全体構成）
図１は、本発明を適用した入力機能付き表示装置の全体構成を示す説明図であり、図１（ａ）、（ｂ）は各々、本発明を適用した入力機能付き表示装置の斜視図、および断面図である。なお、図１（ｂ）は、図２（ａ）のＹ１−Ｙ１′線に沿って入力機能付き表示装置を切断したときの断面図に相当する。
【００１９】
図１において、本形態を適用した入力機能付き表示装置１００は、概ね、画像生成装置としての液晶装置５と、この液晶装置５において表示光を出射する側の面に重ねて配置された入力装置１とを有している。
【００２０】
液晶装置５は、透過型、反射型あるいは半透過反射型のアクティブマトリクス型の液晶パネル５ａを備えている。本形態において、液晶パネル５ａは、透過型であるため、表示光の出射側とは反対側にバックライト装置（図示せず）が配置される。また、液晶装置５において、液晶パネル５ａに対して表示光の出射側には上偏光板８１が配置され、その反対側には下偏光板８２が配置されている。液晶パネル５ａは、透光性の素子基板５０と、この素子基板５０に対して表示光の出射側に対向配置された透光性の対向基板６０とを備えている。対向基板６０と素子基板５０とは、矩形枠状のシール材７１により貼り合わされており、対向基板６０と素子基板５０との間においてシール材７１で囲まれた領域内に液晶層５５が保持されている。
【００２１】
本形態において、液晶装置５にはＴＮ（Twisted Nematic）方式が採用されているため、素子基板５０において、対向基板６０と対向する面には複数の画素電極５８がマトリクス状に設けられ、対向基板６０において、素子基板５０と対向する面には共通電極６８が設けられている。また、対向基板６０において、素子基板５０と対向する面には、画素電極５８が配列されている領域の外周を囲むように矩形枠状に遮光膜５６が設けられており、遮光膜５６で囲まれた領域が液晶装置５の画像表示領域である。なお、液晶装置５がＩＰＳ(In Plane Switching)方式や、ＦＦＳ（Fringe Field Switching）方式である場合、共通電極６８は素子基板５０の側に設けられる。また、素子基板５０が表示光の出射側に配置されることもある。
【００２２】
素子基板５０において、対向基板６０の縁から張り出した張出領域５９には駆動用ＩＣ７５がＣＯＧ実装されているとともに、張出領域５９にはフレキシブル基板７３が接続されている。なお、素子基板５０には、素子基板５０上のスイッチング素子と同時に駆動回路を形成することもある。
【００２３】
本形態の入力機能付き表示装置１００において、入力装置１は、液晶装置５に重ねて配置された抵抗膜型タッチパネル２を備えており、抵抗膜型タッチパネル２の中央領域が入力領域２ａとして利用される。かかる抵抗膜型タッチパネル２は、ガラス板やプラスチック板などからなる透光性の第１基板１０と、ガラス板、プラスチック板、プラスチックシートなどからなる透光性の第２基板２０とを備えており、本形態では、第１基板１０および第２基板２０のいずれにもガラス板が用いられている。
【００２４】
ここで、第２基板２０は入力操作側に配置され、第１基板１０は液晶装置５の側に配置されている。このように構成した抵抗膜型タッチパネル２では、入力を行なう際、第２基板２０が撓む必要があるので、第２基板２０は、第１基板１０より厚さが薄く、可撓性を備えている。
【００２５】
第１基板１０と第２基板２０とは、第１面１０ａ、２０ａ同士が所定の間隙を介して対向するように、枠状のシール材３０によって貼り合わされている。第１基板１０の第１面１０ａにおいて、第２基板２０の縁から張り出した張出領域１０ｓにはフレキシブル基板３３が接続されている。かかるフレキシブル基板３３は、抵抗膜型タッチパネル２と入力位置検出回路（図示せず）とを電気的に接続するための配線部材である。
【００２６】
本形態において、抵抗膜型タッチパネル２は、アクリル樹脂系などといった透光性の接着剤９１によって、第１基板１０の第２面１０ｂが液晶パネル５ａの対向基板６０に接着されている、また、抵抗膜型タッチパネル２において、第２基板２０の第２面２０ｂにアクリル樹脂系などといった透光性の接着剤９２によって上偏光板８１が接着されている。なお、上偏光板８１は、抵抗膜型タッチパネル２と液晶パネル５ａとの間に配置されることもあり、この場合、上偏光板８１と抵抗膜型タッチパネル２との間に位相差板を配置し、抵抗膜型タッチパネル２の第２基板２０の第２面２０ｂの側に１／４波長板および偏光板を重ねて配置することもある。
【００２７】
（抵抗膜型タッチパネル２の電極構成）
図２は、本発明を適用した抵抗膜型タッチパネル２に形成した電極の平面的なレイアウトを模式的に示す説明図であり、図２（ａ）、（ｂ）、（ｃ）は各々、抵抗膜型タッチパネル２の第１基板１０と第２基板２０とに形成された電極の平面的な位置関係を示す説明図、第１基板に形成された電極の平面的構成を模式的に示す説明図、および第２基板に形成された電極の平面的構成を模式的に示す説明図である。なお、図２（ａ）には、第１基板１０に形成された帯状電極を実線で示し、第２基板に形成された帯状電極を点線で示し、図２（ｂ）、（ｃ）には、第１基板１０と第２基板２０とに形成された面状電極（抵抗膜）を一点鎖線で示してある。また、以下の説明では、抵抗膜型タッチパネル２に用いた第１基板１０および第２基板２０の基板面で互いに交差する方向（本形態では、直交する方向）を各々Ｘ方向およびＹ方向として説明する。
【００２８】
本形態の抵抗膜型タッチパネル２において、第１基板１０および第２基板２０はいずれも、Ｘ方向に延在する基板辺が短辺で、Ｙ方向に延在する基板辺が長辺の長方形である。
【００２９】
図１および図２に示すように、本形態の抵抗膜型タッチパネル２では、第１基板１０の第１面１０ａの入力領域２ａの全体にわたってＩＴＯ膜（Indium Tin Oxide）からなる透光性の第１面状電極１１（第１抵抗膜）が設けられ、第２基板２０の第１面２０ａにも、入力領域２ａの全体にわたってＩＴＯ膜からなる透光性の第２面状電極２１（第２抵抗膜）が設けられ、その内側は空気層になっている。
【００３０】
また、第１基板１０の第１面１０ａでは、第１面状電極１１においてＹ方向で対向する両端部の各々に対して一対の第１帯状電極１６ａ、１６ｂが設けられている。第１帯状電極１６ａ、１６ｂは、第１面状電極１１においてＹ方向で対向する両端部の上層に積層された金属電極であり、銀や銀合金などからなる。このため、第１帯状電極１６ａ、１６ｂは、第１面状電極１１に比較してシート抵抗が低い。
【００３１】
第１基板１０の４つの角部のうち、１つの角部付近には４つの端子１６ｅ、１６ｆ、１６ｇ、１６ｈが設けられており、一対の第１帯状電極１６ａ、１６ｂのうち、一方の第１帯状電極１６ａは端子１６ｅの一方端から、Ｙ方向の一方側に位置する基板辺に平行に延在している。また、端子１６ｇからは中継電極１６ｓがＸ方向の一方側に位置する基板辺に沿って延在しており、他方の第１帯状電極１６ｂは、中継電極１６ｓの先端部からＹ方向の他方側に位置する基板辺に沿って延在している。
【００３２】
また、第２基板２０の第１面２０ａでは、第２面状電極２１においてＸ方向で対向する両端部の各々に対して一対の第２帯状電極２６ａ、２６ｂが設けられている。本形態において、第２帯状電極２６ａ、２６ｂは、第２面状電極２１においてＸ方向で対向する両端部の上層に積層された金属電極であり、第１帯状電極１６ａ、１６ｂと同様、銀や銀合金などからなる。このため、第２帯状電極２６ａ、２６ｂのシート抵抗は、第２面状電極２１に比較してシート抵抗が低い。
【００３３】
第２基板２０の端部には２つの端子２６ｆ、２６ｈが設けられており、一対の第２帯状電極２６ａ、２６ｂのうち、一方の第２帯状電極２６ａは端子２６ｆの一方端から、Ｘ方向の一方側に位置する基板辺に沿って延在している。また、端子２６ｈからは中継電極２６ｓがＹ方向の一方側に位置する基板辺に沿って延在しており、他方の第２帯状電極２６ｂは、中継電極２６ｓの先端部からＸ方向の他方側に位置する基板辺に沿って延在している。
【００３４】
このように構成した第１基板１０に第２基板２０を対向配置すると、第２基板２０に設けられた端子２６ｆ、２６ｈは、第１基板１０に設けられた端子１６ｆ、１６ｈと重なる。また、第１基板１０の第１面１０ａでは、端子１６ｅ、１６ｆ、１６ｇ、１６ｈにおいて張出領域１０ｓに位置する他方側端部にフレキシブル基板３３（図１参照）が接続される。さらに、シール材３０において、端子１６ｅ、１６ｆ、１６ｇ、１６ｈ、２６ｆ、２６ｈの形成されている領域に塗布された部分には、表面に金属層が設けられたプラスチックビーズなどからなる基板間導通材３１（図１（ｂ）参照）が配合されている。従って、第２基板２０の端子２６ｆ、２６ｈと、第１基板１０の端子１６ｆ、１６ｈとは、基板間導通材３１を介して導電接続することになる。それ故、第１帯状電極１６ａは、端子１６ｅおよびフレキシブル基板３３を介して入力位置検出回路に電気的に接続され、第１帯状電極１６ｂは、中継電極１６ｓ、端子１６ｇおよびフレキシブル基板３３を介して入力位置検出回路に電気的に接続される。また、第２帯状電極２６ａは、端子２６ｆ、端子１６ｆおよびフレキシブル基板３３を介して入力位置検出回路に電気的に接続され、第２帯状電極２６ｂは、中継電極２６ｓ、端子２６ｈ、端子１６ｈおよびフレキシブル基板３３を介して入力位置検出回路に電気的に接続される。
【００３５】
かかる抵抗膜型タッチパネル２において、第１基板１０および第２基板２０はいずれも平面矩形である。また、シール材３０は、図２（ａ）に右下がりの斜線を２本一組で付した領域として示してあるように、第１基板１０および第２基板２０の外周縁に沿うように配置されている。このため、シール３１材は、矩形枠状に設けられ、かかるシール材３０で囲まれた矩形領域２ｂの中央領域が入力領域２ａとして利用される。より具体的に説明すると、シール材３０は、内側の縁が第１帯状電極１６ａ、１６ｂ、第２帯状電極２６ａ、２６ｂ、および中継電極１６ｓ、２６ｓと重なる位置にある。このため、シール材３０で囲まれた矩形領域２ｂには、第１帯状電極１６ａ、１６ｂ、第２帯状電極２６ａ、２６ｂ、および中継電極１６ｓ、２６ｓの幅方向の一部が張り出しているため、かかる電極の張出し領域よりさらに内側の領域が入力領域２ａとして利用されている。
【００３６】
また、本形態では、第１基板１０において、第２基板２０に対向する第１面１０ａに複数の小突起からなる樹脂スペーサ１７（マイクロドットスペーサ）が設けられている。かかる樹脂スペーサ１７は、第２基板２０が押圧されていない状態で第１基板１０の第１面状電極１１と第２基板２０の第２面状電極２１とが接触することを阻止する機能を担っている。また、樹脂スペーサ１７は、第２基板２０を押圧して第１基板１０に当接させた際、第１基板１０と第２基板２０とが吸着してしまうことを阻止する機能を担っている。本形態において、樹脂スペーサ１７は、図４を参照して後述するように、アクリル樹脂などといった光硬化性の樹脂からなり、その高さ寸法は５μｍ程度である。また、樹脂スペーサ１７の間隔は、通常、１ｍｍ〜数ｍｍであるが、ペンで入力するか、あるいは指先で入力を行なうかなどに応じて最適な値に設定される。
【００３７】
かかる抵抗膜型タッチパネル２において、Ｘ方向の接触位置を検出するには、第２帯状電極２６ａ、２６ｂを介して第２面状電極２１にＸ方向の電圧を印加し、入力位置検出回路において、第１基板１０に設けられた第１面状電極１１を介して電位を監視する。従って、第２基板２０が押圧されて第１面状電極１１と第２面状電極２１とが接触した際、第２面状電極２１での抵抗分割により、Ｘ方向での接触位置を検出することができる。また、Ｙ方向の接触位置を検出するには、入力位置検出回路から第１帯状電極１６ａ、１６ｂを介して第１面状電極１１にＹ方向の電圧を印加し、入力位置検出回路において、第２基板２０に設けられた第２面状電極２１を介して電位を監視する。従って、第２基板２０が押圧されて第１面状電極１１と第２面状電極２１とが接触した際、第１面状電極１１での抵抗分割により、Ｙ方向での接触位置を検出することができる。
【００３８】
（ニュートンリング対策）
図３は、本発明の実施の形態１に係る入力機能付き表示装置１００に用いた抵抗膜型タッチパネル２において、シール材３０で囲まれた矩形領域２ｂの角部分の構成を示す説明図であり、図３（ａ）、（ｂ）は各々、図２（ａ）のＺ−Ｚ′断面図、およびそのＺ側端部の拡大図である。
【００３９】
抵抗膜型タッチパネル２では、入力時の負荷（動作荷重）を軽減するという観点からすれば、第１基板１０と第２基板２０との間隙が狭い方が好ましい。そこで、本形態では、図１（ｂ）および図３（ａ）、（ｂ）に示すように、シール材３０の厚さ寸法を２０〜５０μｍと薄く設定し、第１基板１０と第２基板２０との間隙を狭めてある。
【００４０】
但し、第１基板１０と第２基板２０との間隙が狭いと、ニュートンリングが発生するという問題点がある。特に、第１基板１０と第２基板２０との間隙が約５０μｍ以下となるとニュートンリングが顕著に発生する。
【００４１】
そこで、本形態では、第１基板１０と第２基板２０との間に空気を充填することにより、第１基板１０が位置する側とは反対側に向けて第２基板２０の中央部分を凸状に湾曲させてある。このため、中央部分では、第１基板１０と第２基板２０との間隙が広いので、ニュートンリングが発生しない。
【００４２】
また、本形態では、第２基板２０の中央部分を凸状に湾曲させても、シール材３０により囲まれている矩形領域２ｂ内において、シール材３０に近接する外周側領域では、第１基板１０と第２基板２０との間隙が狭く、ニュートンリングが発生するおそれがある。特に、シール材３０で囲まれた矩形領域２ｂの４つの角部分２ｃは、矩形領域２ｂの辺部分に比較して、第１基板１０と第２基板２０との間隙が狭い領域が広く、ニュートンリングが目立ちやすい。
【００４３】
そこで、本形態の抵抗膜型タッチパネル２では、シール材３０により囲まれた領域内の外周側領域にアンチ・ニュートンリング層１８が設けられており、かかるアンチ・ニュートンリング層１８の形成によって、外周側領域でのニュートンリングの発生を防止する。
【００４４】
かかるアンチ・ニュートンリング層１８として、本形態では、第１基板１０の第１面１０ａにおいて、シール材３０で囲まれた矩形領域２ｂの４つの角部分２ｃ（図２（ａ）参照）には、第２基板２０に凹凸１８１ａを向ける光散乱層１８１が設けられており、光散乱層１８１において、凹凸１８１ａはランダムな凹凸パターンを備えている。本形態において、光散乱層１８１（アンチ・ニュートンリング層１８）は、第１基板１０において、シール材３０の内周縁が位置する個所から、第１帯状電極１６ａ、１６ｂ、第２帯状電極２６ａ、２６ｂ、および中継電極１６ｓ、２６ｓ（図２参照）が設けられている領域よりもやや内側まで設けられている。かかる光散乱層１８１は、アクリル樹脂など、樹脂スペーサ１７と同一の樹脂材料からなる。
【００４５】
このような構成の抵抗膜型タッチパネル２において、シール材３０により囲まれた領域内の外周側領域では、第２基板２０の側から入射した光が第１基板１０において反射する際、光散乱層１８１の表面で散乱する。また、光散乱層１８１は、第２基板２０に凹凸１８１ａを向けているため、第１基板１０と第２基板２０との間隙寸法はランダムに変化している。このため、第２基板２０の第１面２０ａでの空気層との界面で反射した光と、第１基板１０の第１面１０ａでの空気層との界面（光散乱層１８１と空気層との界面）で反射した光とが規則性をもって干渉し合うことがない。それ故、シール材３０により囲まれた矩形領域２ｂ内の外周側領域（角部分２ｃ）では、第１基板１０と第２基板２０との間隙が狭くても、ニュートンリングが発生しない。
【００４６】
なお、シール材３０により囲まれた矩形領域２ｂ内の外周側領域は、液晶パネル５ａにおいて遮光膜５６と平面視で重なる領域である。従って、抵抗膜型タッチパネル２において、シール材３０により囲まれた矩形領域２ｂ内の外周側領域にアンチ・ニュートンリング層１８（光散乱層１８１）を形成しても、液晶パネル５ａで表示される画像に欠けなどが発生しない。より具体的には、平面的な位置関係において、アンチ・ニュートンリング層１８の内縁と遮光膜５６の内縁との位置が一致している、あるいは、アンチ・ニュートンリング層１８の内縁が遮光膜５６の内縁よりも外側に配置されるように設定すれば、アンチ・ニュートンリング層１８によって液晶パネル５ａの表示される画像が遮られることはない。
【００４７】
（光散乱層１８１の製造方法）
図４は、本発明の実施の形態１に係る入力機能付き表示装置の抵抗膜型タッチパネル２に光散乱層１８１と樹脂スペーサ１７と同時形成する様子を示す工程断面図である。
【００４８】
本形態の抵抗膜型タッチパネル２において、第１基板１０に対して、図３を参照して説明した光散乱層１８１を形成するには、図４を参照して以下に説明するように、樹脂スペーサ１７を同時形成する。より具体的には、まず、図４（ａ）に示すように、第１基板１０の第１面１０ａに対して、図２を参照して説明した第１面状電極１１、第１帯状電極１６ａ、１６ｂ、および中継電極１６ｓを形成した後、それらの表面全体にアクリル樹脂などの感光性樹脂１７０を塗布する。
【００４９】
次に、図４（ｂ）に示すように、完全遮光部分１９０ａ、ハーフ露光部分１９０ｂ、全露光部分１９０ｃを備えたグレイトーンマスクやハーフトーンマスクなどの多諧調露光マスク１９０を用いて、感光性樹脂１７０を露光する。本形態において、感光性樹脂１７０はポジタイプの感光性樹脂である。このため、現像工程を行なうと、感光性樹脂１７０において、一切露光されなかった部分は完全に残り、部分露光された部分は一部が残り、完全露光された部分は完全に除去される。その結果、図４（ｃ）に示すように、第１基板１０上には、樹脂スペーサ１７と、表面に凹凸１８１ａを備えた光散乱層１８１とが同時に形成される。
【００５０】
なお、上記の方法は、感光性樹脂１７０がポジタイプである場合の例であるが、感光性樹脂１７０がネガタイプである場合、多諧調露光マスク１９０として上記と反転したパターンを備えた多諧調露光マスクを用いればよい。
【００５１】
（本形態の主な効果）
以上説明したように、本形態の抵抗膜型タッチパネル２では、シール材３０の厚さ寸法を２０〜５０μｍと薄く設定してあるが、シール材３０で囲まれた矩形領域２ｂのうち、中央領域については第２基板２０の中央部分を凸状に湾曲させてニュートンリングの発生を防止する。また、シール材３０で囲まれた矩形領域２ｂの角部分２ｃについては、第１基板１０にアンチ・ニュートンリング層１８（光散乱層１８１）を設けてニュートンリングの発生を防止する。従って、シール材３０で囲まれた領域の全体にわたってニュートンリングの発生を防止することができる。
【００５２】
［実施の形態２］
図５は、本発明の実施の形態２に係る入力機能付き表示装置１００に用いた抵抗膜型タッチパネル２において、シール材３０で囲まれた矩形領域２ｂの角部分２ｃの構成を示す説明図であり、図５（ａ）、（ｂ）は各々、図２（ａ）のＺ−Ｚ′断面図、およびそのＺ側端部の拡大図に相当する。なお、本形態の基本的な構成は、実施の形態１と同様であるため、共通する部分には同一の符号を付して図示し、それらの説明を省略する。
【００５３】
図５に示すように、本形態の抵抗膜型タッチパネル２でも、実施の形態１と同様、第１基板１０と第２基板２０とは、厚さ寸法が２０〜５０μｍのシール材３０で貼り合わされている。また、第２基板２０の中央部分は、第１基板１０と第２基板２０との間に充填された空気により、中央部分が凸状に湾曲している。さらに、シール材３０により囲まれた矩形領域２ｂ内の角部分２ｃにアンチ・ニュートンリング層１８が設けられている。
【００５４】
かかるアンチ・ニュートンリング層１８として、本形態では、第１基板１０の第１面１０ａにおいて、シール材３０で囲まれた矩形領域２ｂの角部分２ｃ（図２（ａ）参照）には、黒色の樹脂からなる光吸収層１８２（下層）が設けられ、かかる光吸収層１８２の上には、第２基板２０に凹凸１８１ａを向ける光散乱層１８１（上層）が設けられている。
【００５５】
光散乱層１８１は、実施の形態１と同様、凹凸１８１ａはランダムな凹凸パターンを備えている。本形態において、アンチ・ニュートンリング層１８（光吸収層１８２および光散乱層１８１）は、第１基板１０において、シール材３０の内周縁が位置する個所から、第１帯状電極１６ａ、１６ｂ、第２帯状電極２６ａ、２６ｂ、および中継電極１６ｓ、２６ｓ（図２参照）が設けられている領域よりもやや内側まで設けられている。かかる光散乱層１８１は、実施の形態１と同様、アクリル樹脂など、樹脂スペーサ１７と同一の樹脂材料からなる。
【００５６】
このような構成の抵抗膜型タッチパネル２において、シール材３０により囲まれた領域内の外周側領域では、第２基板２０の側から入射した光が第１基板１０において反射する際、光散乱層１８１の表面で散乱する。また、光散乱層１８１を透過した光は、光吸収層１８２で吸収される。その際、光吸収層１８２の表面で一部の光が反射しても、かかる反射光は、上層の光散乱層１８１によって散乱光となる。しかも、光散乱層１８１は、第２基板２０に凹凸１８１ａを向けているため、第１基板１０と第２基板２０との間隙寸法はランダムに変化している。それ故、シール材３０により囲まれた矩形領域２ｂ内の角部分２ｃでの第１基板１０と第２基板２０との間隙が狭くても、ニュートンリングが発生しない。
【００５７】
このように、本形態の抵抗膜型タッチパネル２でも、実施の形態１と同様、シール材３０で囲まれた矩形領域２ｂのうち、中央領域については第２基板２０の中央部分を凸状に湾曲させてニュートンリングの発生を防止する。また、シール材３０で囲まれた矩形領域２ｂの角部分２ｃについては、第１基板１０にアンチ・ニュートンリング層１８（光散乱層１８１および光吸収層１８２）を設けてニュートンリングの発生を防止する。従って、シール材３０で囲まれた領域の全体にわたってニュートンリングの発生を防止することができる。
【００５８】
［実施の形態３］
図６は、本発明の実施の形態３に係る入力機能付き表示装置１００に用いた抵抗膜型タッチパネル２において、シール材３０で囲まれた矩形領域２ｂの角部分２ｃの構成を示す説明図であり、図６（ａ）、（ｂ）は各々、図２（ａ）のＺ−Ｚ′断面図、およびそのＺ側端部の拡大図に相当する。なお、本形態の基本的な構成は、実施の形態１と同様であるため、共通する部分には同一の符号を付して図示し、それらの説明を省略する。
【００５９】
図６に示すように、本形態の抵抗膜型タッチパネル２でも、実施の形態１と同様、第１基板１０と第２基板２０とは、厚さ寸法が２０〜５０μｍのシール材３０で貼り合わされている。また、第２基板２０の中央部分は、第１基板１０と第２基板２０との間に充填された空気により、中央部分が凸状に湾曲している。さらに、シール材３０により囲まれた矩形領域２ｂ内の角部分２ｃにアンチ・ニュートンリング層１８が設けられている。
【００６０】
かかるアンチ・ニュートンリング層１８として、本形態では、第１基板１０の第１面１０ａにおいて、シール材３０で囲まれた矩形領域２ｂの角部分２ｃ（図２（ａ）参照）には、黒色の樹脂からなる光吸収層１８２が設けられている。本形態において、アンチ・ニュートンリング層１８（光吸収層１８２）は、第１基板１０において、シール材３０の内周縁が位置する個所から、第１帯状電極１６ａ、１６ｂ、第２帯状電極２６ａ、２６ｂ、および中継電極１６ｓ、２６ｓ（図２参照）が設けられている領域よりもやや内側まで設けられている。
【００６１】
このような構成の抵抗膜型タッチパネル２において、シール材３０により囲まれた領域内の外周側領域では、第２基板２０の側から入射した光が第１基板１０において反射する際、光吸収層１８２で大部分が吸収される。それ故、シール材３０により囲まれた領域内の外周側領域での第１基板１０と第２基板２０との間隙が狭くても、ニュートンリングが発生しない。
【００６２】
このように、本形態の抵抗膜型タッチパネル２でも、実施の形態１と同様、シール材３０で囲まれた矩形領域２ｂのうち、中央領域については第２基板２０の中央部分を凸状に湾曲させてニュートンリングの発生を防止する。また、シール材３０で囲まれた矩形領域２ｂの角部分２ｃについては、第１基板１０にアンチ・ニュートンリング層１８（光吸収層１８２）を設けてニュートンリングの発生を防止する。従って、シール材３０で囲まれた領域の全体にわたってニュートンリングの発生を防止することができる。
【００６３】
［その他の構成］
上記の実施の形態１〜３では、シール材３０で囲まれた矩形領域２ｂの角部分２ｃのみにアンチ・ニュートンリング層１８を設けたが、矩形領域２ｂの辺部分を含む外周側領域全体にアンチ・ニュートンリング層１８を設けてもよい。
【００６４】
上記の実施の形態１、２では、光散乱層１８１を形成するにあたって感光性樹脂の階調露光を利用したが、樹脂層に配合した粒子によって表面に凹凸が形成された光散乱層や、サンドブラストなどといった機械的な粗面化により表面に凹凸が形成された光散乱層を利用してもよい。
【００６５】
上記の実施の形態１〜３では、第１基板１０の第１面１０ａにアンチ・ニュートンリング層１８を設けたが、第２基板２０の第１面２０ａにアンチ・ニュートンリング層１８を設けた構成や、第１基板１０の第１面１０ａおよび第２基板２０の第１面２０ａの双方にアンチ・ニュートンリング層１８を設けた構成を採用してもよい。
【００６６】
上記の実施の形態１〜３では、画像生成装置としての液晶装置５を用いたが、有機エレクトロルミネッセンス装置やプラズマ表示装置を画像生成装置として用いてもよい。
【００６７】
［電子機器への搭載例］
次に、上述した実施形態に係る入力機能付き表示装置１００を適用した電子機器について説明する。図７（ａ）に、入力機能付き表示装置１００を備えたモバイル型のパーソナルコンピュータの構成を示す。パーソナルコンピュータ２０００は、表示ユニットとしての入力機能付き表示装置１００と本体部２０１０を備える。本体部２０１０には、電源スイッチ２００１及びキーボード２００２が設けられている。図７（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図７（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【００６８】
なお、入力機能付き表示装置１００が適用される電子機器としては、図７に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、銀行端末などの電子機器などが挙げられる。そして、これらの各種電子機器の表示部として、前述した入力機能付き表示装置１００が適用可能である。
【図面の簡単な説明】
【００６９】
【図１】本発明を適用した入力機能付き表示装置の全体構成を示す説明図である。
【図２】本発明を適用した抵抗膜型タッチパネルに形成した電極の平面的なレイアウトを模式的に示す説明図である。
【図３】本発明の実施の形態１に係る入力機能付き表示装置に用いた抵抗膜型タッチパネルにおいて、シール材で囲まれた矩形領域の角部分の構成を示す説明図である。
【図４】本発明の実施の形態１に係る入力機能付き表示装置の抵抗膜型タッチパネルに光散乱層を樹脂スペーサと同時形成する様子を示す工程断面図である。
【図５】本発明の実施の形態２に係る入力機能付き表示装置に用いた抵抗膜型タッチパネルにおいて、シール材で囲まれた矩形領域の角部分の構成を示す説明図である。
【図６】本発明の実施の形態３に係る入力機能付き表示装置に用いた抵抗膜型タッチパネルにおいて、シール材で囲まれた矩形領域の角部分の構成を示す説明図である。
【図７】本発明に係る入力機能付き表示装置を用いた電子機器の説明図である。
【図８】従来の抵抗膜型タッチパネルの問題を示す説明図である。
【符号の説明】
【００７０】
１・・入力装置、２・・抵抗膜型タッチパネル、２ａ・・入力領域、２ｂ・・シール材で囲まれた矩形領域、２ｃ・・シール材で囲まれた矩形領域の角部分、５・・液晶装置（画像生成装置）、１０・・第１基板、１１・・第１面状電極（第１抵抗膜）、１８・・アンチ・ニュートンリング層、２０・・第２基板、２１・・第２面状電極（第２抵抗膜）、１００・・入力機能付き表示装置、１８１・・光散乱層、１８２・・光吸収層
【図１】
2010128846.tif 000003
【図２】
2010128846.tif 000004
【図３】
2010128846.tif 000005
【図４】
2010128846.tif 000006
【図５】
2010128846.tif 000007
【図６】
2010128846.tif 000008
【図７】
2010128846.tif 000009
【図８】
2010128846.tif 000010